【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
同一チャンネルを複数の帯域に分割し、該帯域毎に異なる符号化方式を採用できるデジタル放送で送信されるデータを記憶させることで番組録画を行う番組録画装置において、
前記デジタル放送で送信されるデータを前記符号化方式別に受信して復調するための複数のデータ受信手段と、
前記番組録画を行う場合に、前記複数のデータ受信手段がそれぞれ受信して復調するデータを記憶装置に並行して記憶させる番組録画手段と、
前記番組録画手段が前記記憶装置に並行して記憶させた、前記符号化方式が異なるデータ、及び該データを復号化して得られるデータを出力できるデータ出力手段と、
前記データ出力手段が出力したデータにより、前記番組、及び前記符号化方式毎に、前記記憶装置に記憶されたデータ中で再生された再生位置を記憶する再生位置記憶手段と、
を具備することを特徴とする番組録画装置。
【請求項２】
前記データ出力手段により出力されるデータを取得し再生できる携帯端末装置で再生する場合、該データを該携帯端末装置で再生を開始位置を前記再生位置記憶手段により前記番組、及び前記符号化方式毎に記憶されている再生位置から選択する、
ことを特徴とする請求項１記載の番組録画装置。
【請求項３】
同一チャンネルを複数の帯域に分割し、該帯域毎に異なる符号化方式を採用できるデジタル放送で送信されるデータを再生できる携帯端末装置において、
前記データを再生する再生手段と、
前記データを記憶装置に記憶させて番組録画を行う番組録画装置から該データを該データの再生位置を示す再生位置情報と併せて取得するデータ取得手段と、
前記データ取得手段が取得したデータを、前記再生位置情報が示す再生位置から前記再生手段に再生させる制御を実行できる再生制御手段と、
を具備することを特徴とする携帯端末装置。
【請求項４】
前記再生手段による前記データの再生に応じて、前記再生位置情報を更新する位置情報更新手段と、
前記位置情報更新手段が更新した再生位置情報を前記番組録画装置に送信できる情報送信手段と、
を更に具備することを特徴とする請求項３記載の携帯端末装置。
【請求項５】
同一チャンネルを複数の帯域に分割し、該帯域毎に異なる符号化方式を採用できるデジタル放送で送信されるデータを再生できる携帯端末装置に実行させるプログラムであって、
前記データを再生する機能と、
前記データを記憶装置に記憶させて番組録画を行う番組録画装置から該データを該データの再生位置を示す再生位置情報と併せて取得する機能と、
前記取得する機能により取得したデータを、前記再生位置情報が示す再生位置から前記再生する機能により再生させる制御を実行できる機能と、
を実現させるためのプログラム。
【手続補正２】
【補正対象書類名】明細書
【補正対象項目名】０００６
【補正方法】変更
【補正の内容】
【０００６】
請求項１の発明は、同一チャンネルを複数の帯域に分割し、該帯域毎に異なる符号化方式を採用できるデジタル放送で送信されるデータを記憶させることで番組録画を行う番組録画装置において、前記デジタル放送で送信されるデータを前記符号化方式別に受信して復調するための複数のデータ受信手段と、前記番組録画を行う場合に、前記複数のデータ受信手段がそれぞれ受信して復調するデータを記憶装置に並行して記憶させる番組録画手段と、前記番組録画手段が前記記憶装置に並行して記憶させた、前記符号化方式が異なるデータ、及び該データを復号化して得られるデータを出力できるデータ出力手段と、前記データ出力手段が出力したデータにより、前記番組、及び前記符号化方式毎に、前記記憶装置に記憶されたデータ中で再生された再生位置を記憶する再生位置記憶手段と、を具備したことを特徴とする。
【手続補正３】
【補正対象書類名】明細書
【補正対象項目名】０００７
【補正方法】変更
【補正の内容】
【０００７】
請求項２の発明は、上記請求項１記載の発明において、前記データ出力手段により出力されるデータを取得し再生できる携帯端末装置で再生する場合、該データを該携帯端末装置で再生を開始位置を前記再生位置記憶手段により前記番組、及び前記符号化方式毎に記憶されている再生位置から選択することを特徴とする。
【手続補正４】
【補正対象書類名】明細書
【補正対象項目名】０００８
【補正方法】変更
【補正の内容】
【０００８】
請求項３の発明は、同一チャンネルを複数の帯域に分割し、該帯域毎に異なる符号化方式を採用できるデジタル放送で送信されるデータを再生できる携帯端末装置において、前記データを再生する再生手段と、前記データを記憶装置に記憶させて番組録画を行う番組録画装置から該データを該データの再生位置を示す再生位置情報と併せて取得するデータ取得手段と、前記データ取得手段が取得したデータを、前記再生位置情報が示す再生位置から前記再生手段に再生させる制御を実行できる再生制御手段と、を具備したことを特徴とする。
【手続補正５】
【補正対象書類名】明細書
【補正対象項目名】０００９
【補正方法】変更
【補正の内容】
【０００９】
請求項４の発明は、上記請求項３記載の発明において、前記再生手段による前記データの再生に応じて、前記再生位置情報を更新する位置情報更新手段と、前記位置情報更新手段が更新した再生位置情報を前記番組録画装置に送信できる情報送信手段と、を更に具備したことを特徴とする。
【手続補正６】
【補正対象書類名】明細書
【補正対象項目名】００１０
【補正方法】変更
【補正の内容】
【００１０】
請求項５の発明は、同一チャンネルを複数の帯域に分割し、該帯域毎に異なる符号化方式を採用できるデジタル放送で送信されるデータを再生できる携帯端末装置に実行させるプログラムであって、前記データを再生する機能と、前記データを記憶装置に記憶させて番組録画を行う番組録画装置から該データを該データの再生位置を示す再生位置情報と併せて取得する機能と、前記取得する機能により取得したデータを、前記再生位置情報が示す再生位置から前記再生する機能により再生させる制御を実行できる機能とを実現させるためのプログラム、を記憶したことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１５
【補正方法】変更
【補正の内容】
【００１５】
本発明は、番組、及び符号化方式毎に、記憶装置に記憶されたデータ中で再生された再生位置を特定し、記憶する。このため、装置が異なっても、既に再生させたところからデータの再生を開始させることができるようになる。その結果、複数の装置を同一の録画番組の再生に使用しても、その再生を快適に行えることとなる。
【手続補正１１】
【補正対象書類名】明細書
【補正対象項目名】００６１
【補正方法】変更
【補正の内容】
【００６１】
上記再生箇所シリアルナンバーは、図１に示す番組録画装置から転送されたものか、そうでなければ、上記ステップ８１３、或いは後述のステップ８２９で更新されたものである。そのようなシリアルナンバーで指定されるフレームから再生を開始することにより、再生させたデータの種類や使用した装置に係わらず、それまでに再生させた位置からの再生開始が適切に行えることとなる。そのシリアルナンバーは例えばＲＡＭ２０７に保存される。